(57)【要約】【課題】安全でかつ電池の長寿命化が可能なリモートコントローラを提供する。【解決手段】太陽電池と、太陽電池が発電した電力を蓄電し、負荷に電力を供給する二次電池と、負荷に電力を供給する一次電池と、一次電池に接続され、一次電池と二次電池との電位差で開閉する開閉器と、を備え、開閉器を電界効果トランジスタで構成し、電界効果トランジスタのゲートと二次電池の正極側とを逆流防止ダイオードを一個または複数個介して接続し、安全でかつ電池の長寿命化が可能なリモートコントローラを提供することができる。【選択図】  図９
2012039199.tif 000002
【特許請求の範囲】
【請求項１】
太陽電池と、
前記太陽電池が発電した電力を蓄電し、負荷に電力を供給する二次電池と、
前記負荷に電力を供給する一次電池と、
前記一次電池に接続され、前記一次電池と前記二次電池との電位差で開閉する開閉器と、
を備えることを特徴とするリモートコントローラ。
【請求項２】
前記開閉器を電界効果トランジスタで構成し、
前記電界効果トランジスタのゲートと前記二次電池の正極側とを前記逆流防止ダイオードを一個または複数個介して接続することを特徴とする請求項１に記載のリモートコントローラ。
【請求項３】
前記二次電池および前記一次電池と物理的並列に接続したコンデンサを設けることを特徴とする請求項１又は請求項２に記載のリモートコントローラ。
【請求項４】
前記二次電池と前記コンデンサとの間で、前記二次電池の正極側に抵抗器を備えることを特徴とする請求項１乃至３のいずれかに記載のリモートコントローラ。
【請求項５】
前記太陽電池と前記二次電池との間で、前記太陽電池の正極側にレギュレータを備えることを特徴とする請求項１乃至４のいずれかに記載のリモートコントローラ。
【請求項６】
前記二次電池に外部の充電装置を接続する充電端子を備えることを特徴とする請求項１乃至５のいずれかに記載のリモートコントローラ。
【請求項７】
商用電源からの電力を直流に変換し、前記二次電池に電力を供給する充電装置を備えることを特徴とする請求項１乃至６のいずれかに記載のリモートコントローラ。
【請求項８】
赤外線発光素子と赤外線受光素子を有す送受信部を備えることを特徴とする請求項１乃至７のいずれかに記載のリモートコントローラ。
【請求項９】
前記送受信部は電波通信回路であることを特徴とする請求項１乃至８のいずれかに記載のリモートコントローラ。
【請求項１０】
前記二次電池と前記負荷との間に出力開閉器を備えることを特徴とする請求項１乃至９のいずれかに記載のリモートコントローラ。
【請求項１１】
前記出力開閉器は任意の値以上の電圧又は電流を検出した場合に前記二次電池と前記負荷とを遮断することを特徴とする請求項１０に記載のリモートコントローラ。
【請求項１２】
前記一次電池はリチウム一次電池であり、前記二次電池はリチウム二次電池であることを特徴とする請求項１から１１のいずれかに記載のリモートコントローラ。
【請求項１３】
太陽電池と、
前記太陽電池が発電した電力を蓄電し、負荷に電力を供給する二次電池と、
前記負荷に電力を供給する一次電池を装着する電池ソケットと、
前記電池ソケットを介して前記一次電池に接続され、前記一次電池と前記二次電池との電位差で開閉する開閉器と、
を備えることを特徴とするリモートコントローラ。
【請求項１４】
負荷に電力を供給する第１の電池と、
前記第１の電池と物理的並列に接続し、前記負荷に電力を供給する第２の電池と、
前記第１の電池と前記第２の電池との電位差で開閉する開閉器と、
を備えることを特徴とするリモートコントローラ。
【請求項１５】
負荷に電力を供給する第１の電池と、
前記第１の電池と物理的並列に接続し、前記負荷に電力を供給する第２の電池と、
前記第１の電池の正極側に接続した第１の電圧調節器と、
ソースとドレインを前記第２の電池の正極側に接続し、ゲートを前記第１の電池と前記第１の電圧調節器との間に接続した電界効果トランジスタと、
を備えることを特徴とするリモートコントローラ。
【請求項１６】
前記電界効果トランジスタのゲートを第２の電圧調節器を介して前記第１の電池と前記第１の電圧調整器との間に接続することを特徴とする請求項１５に記載のリモートコントローラ。
【請求項１７】
請求項１から１６のいずれかに記載のリモートコントローラと、
前記リモートコントローラからの信号を受信する室内機受信部と、
室内空気を吸い込む空気吸込み口と、
前記空気吸込み口から吸い込まれた空気と熱交換する室内熱交換器と、
前記室内機受信部が受信した前記信号に基づいて回転数を制御する室内送風機と、
前記室内熱交換器で熱交換した空気を室内に吹出す空気吹出し口と、
を備えることを特徴とする空気調和機。
【発明の詳細な説明】
【技術分野】
【０００１】
本発明は、ワイヤレスのリモートコントローラ及びそれを備えた空気調和機に関する。
【背景技術】
【０００２】
太陽電池を搭載し、太陽光エネルギを電気エネルギに変換して内蔵の二次電池に充電し電源として利用する技術は、多くの分野の装置について開示されている。特にバックアップ電源を用いて、この二次電池の充電電力が減少した際の機器の使用を可能としたこの種の技術として以下のものが開示されている。
【０００３】
特許文献１には、バックアップ用一次電池にショットキーバリアダイオードを接続し、一次電池と並列に抵抗を接続したことにより、一次電池への流入電流を少なくしたバックアップ電源装置が開示されている。
【０００４】
また、特許文献２には、リセットＩＣおよびスイッチング回路を用いて、バックアップ電池の出力を制御する方法が開示されている。
【０００５】
また、特許文献３には、二次電池と一次電池を併用してバックアップ回路を構成し、一次電池の出力が低下した際に一次電池をショートさせてヒューズ４を溶断することで、一次電池をオープンして充電を防ぐ方式が開示されている。
【０００６】
また、特許文献４には、商用電源を整流して負荷に供給する電源において、一次電池または二次電池を内蔵する電池パックを搭載することで、停電時であっても電力を供給し続けることのできる電源が開示されている。
【０００７】
また、特許文献５には、本体に使用者が交換して使用する電池と、この電池により充電される内蔵充電電池を設けることで電源のバックアップを行い、本体に設けられたスイッチによって電源の切り替えを行う構成としたリモートコントローラが開示されている。
【０００８】
また、特許文献６には、太陽電池などの電池と外部電池を併用し、太陽電池等の内蔵電池は第１のダイオードを介し制御回路に接続され、外部電池は第１のダイオードを介し制御回路に接続され、制御回路へ電力を供給するリモートコントローラが開示されている。
【０００９】
また、特許文献７には、バックアップの一次電池と、電源からの電圧が所定値以下となったことに応じてバックアップの一次電池を接続し、それ以外は切り離す開閉手段を設けることで、メイン電源からの電力供給ができなくなった場合であっても一次電池から電力を供給する方法が示されている。
【００１０】
また、特許文献８には、主電源の他にバックアップ電池を有し、逆流防止ダイオードを介して負荷に電力を供給し、バックアップ電池に並列に逆流防止ダイオードと同一のダイオードを接続することによって、漏れ電流によるバックアップ電池への充電を防止することのできる電源が開示されている。
【先行技術文献】
【特許文献】
【００１１】
【特許文献１】特開２００４−２４２３９６号公報
【特許文献２】特開平４−１３３６３０号公報
【特許文献３】特開平７−１５４９２２号公報
【特許文献４】特開平８−１８２３２５号公報
【特許文献５】特開平７−１４３５７３号公報
【特許文献６】特開平４−３２５８４０号公報
【特許文献７】特開平３−１７３３２６号公報
【特許文献８】特開平８−２８０１４１号公報
【発明の概要】
【発明が解決しようとする課題】
【００１２】
現在環境意識の高まりから、リモートコントローラにおいても太陽電池による発電電力を二次電池に充電して、電池寿命を延ばす機能が求められている。
【００１３】
特に空気調和機のように操作対象の機器に操作ボタンがなく、リモートコントローラによってのみ操作対象の機器の操作が可能である場合において、リモートコントローラの電源を内蔵の二次電池としたとき、二次電池が放電してしまうと、二次電池の充電が終了するまでリモートコントローラを使用することができないだけではなく、空気調和機など操作対象の機器も使用することができないといった問題が発生する。一般に、二次電池の容量が大きくなると充電電流も大きくなるため、リモートコントローラなどに搭載される発電電流の小さい太陽電池によって二次電池を充電する場合、二次電池から十分な出力電圧を得るには長い時間を要することとなる。ここで、二次電池の充電時間を短縮するために小容量の二次電池を使用した場合、十分な出力電圧を得るのに時間を要さないものの、小容量であるためにリモートコントローラの連続使用は難しい。一般に信号の送信時の消費電力が小さい特定小電力電波などを用いたリモートコントローラであっても、リモートコントローラの連続使用によって二次電池の充電がなくなってしまうという点においては同じである。そのため、太陽電池の充電電力を二次電池に充電して主電源として使用するだけでなく、その充電が十分でない場合であっても使用できるリモートコントローラが求められている。
【００１４】
特許文献１で開示されているバックアップ電源装置においては、一次電池の両端に抵抗を取り付けたことにより、バックアップ用の一次電池の電力を常にこの抵抗によって消費してしまうことになり、機器が長期間使用されなかった場合、二次電池は自然放電し、一次電池は抵抗により放電してしまうため、機器が使用できないといった問題が発生する。
【００１５】
また、特許文献２には、リセットＩＣおよびスイッチング回路を用いたバックアップ電池の出力を制御する回路が開示されているが、インバータ３４の駆動電力はバックアップ電池３１でまかなっており、通常電源を使用している際でも常にバックアップ電池の電力を消費してしまうため、機器の長期間の使用には不向きであるだけでなく、電源のバックアップ動作時、インバータ３４に加えてリセットＩＣ２０での電力消費もバックアップ電池でまかなうこととなるため、バックアップ電池３１での電力消費は更に大きくなってしまい、電池の寿命が短くなる。また、バックアップ電池３１の放電時の、容易な電池交換方法が考慮されていない。
【００１６】
また、二次電池と一次電池を併用してバックアップ回路を構成し、一次電池の出力が低下した際にヒューズ４を溶断して一次電池への充電を防ぐ特許文献３で開示されている方法は、一次電池が放電した場合、再び機器の電源のバックアップを行うためには、一次電池の交換だけでなくヒューズを交換する手間がかかってしまうといった問題がある。また出力電圧を検出するために一次電池からＲ２を介してマイクロコンピュータに接続されているが、実際にはマイクロコンピュータへの入力では常に漏れ電流が発生するため、一次電池の放電が起こってしまうといった問題がある。
【００１７】
また、特許文献４で開示されている一次電池または二次電池を内蔵する電池パックを搭載することで電源のバックアップを行う電源装置においても、図３の基準電圧源３７で放電電流が発生する。
【００１８】
また、特許文献５で開示されているリモートコントローラにおいては、電源の切り替えスイッチがリモートコントローラ本体に設けられており、手動で切替える必要がある。
【００１９】
また、特許文献６で開示されているリモートコントローラでは、電池選択部６で使用されている逆流防止ダイオード１０，１２のみではダイオードの特性上漏れが生じ、充電電流となってしまうため、液漏れ等の可能性がある汎用の乾電池を外部電池４として使用することはできない。そのため外部電池４として使用できる電池は充電可能な二次電池、もしくはある程度充電電流が許容される特殊な電池となり、使用者が容易に入手するにも困難なため、民生用としては不向きである。また、この構成によると、二次電池と外部電池４は直接ダイオード又は負荷と接続されているため、自動的に電位が高い方から電力が供給されるように切り替わることになる。本来であれば、極力二次電池から電力を供給したいため、負荷の最低動作電圧付近で切り替わるように任意の閾値を設けたいが、この構成では外部電池４の電位以下になった時点で自動的に切り替わるため、外部電池４の使用頻度が高くなる。そのため、予備として備えた外部電池４を頻繁に交換しなければならないといった問題が生じる。
【００２０】
また、特許文献７で開示されている電源のバックアップ回路においては、リレーｒ１に加えて、別途リレー４ｂ及び開閉手段４ａが必要であるため、部品数が多く、費用及びスペースの増大となる。また、バックアップ用一次電池の開閉器を動作させるために電源の電圧検出回路を使用しているため、電圧検出回路および開閉器において電力を消費する。また、開閉器にはリレーを用いており、一次電池の使用時、開閉器は常に一次電池の電力を消費する。さらに、開閉器の発振を防ぐために電源電圧と一次電池の出力に電圧差をとり、その間に開閉器の閾値を設定する必要があることから、電源のバックアップを行った際、または復帰した際に、電源電圧の変化によって負荷の動作が不安定になる可能性がある。
【００２１】
そこで本発明の目的は、安全でかつ電池の長寿命化が可能なリモートコントローラを提供することである。
【課題を解決するための手段】
【００２２】
上記の目的を達成するために本発明に係るリモートコントローラは、太陽電池と、太陽電池が発電した電力を蓄電し、負荷に電力を供給する二次電池と、負荷に電力を供給する一次電池と、一次電池に接続され、一次電池と二次電池との電位差で開閉する開閉器と、を備える。
【発明の効果】
【００２３】
本発明によれば、安全でかつ電池の長寿命化が可能なリモートコントローラを提供することができる。
【図面の簡単な説明】
【００２４】
【図１】本実施形態に係るリモートコントローラを含む空気調和機の構成図。
【図２】本実施形態に係るリモートコントローラの外観正面図。
【図３】本実施形態に係るリモートコントローラの上部図。
【図４】本実施形態に係るリモートコントローラの外観背面図。
【図５】本実施形態に係るリモートコントローラについて、電池ソケットカバーを外した状態の外観背面図。
【図６】本実施形態に係るリモートコントローラの外観右側面図。
【図７】本実施形態に係るリモートコントローラの側面断面模式図。
【図８】比較例に係るバックアップ電池を備えない、太陽電池を利用したリモートコントローラの回路模式図。
【図９】本実施形態に係るリモートコントローラの回路模式図。
【図１０】本実施形態の変形例に係るリモートコントローラについて、外部充電器を接続するための外部充電用端子を設け、内蔵の二次電池を外部から充電可能とし、また負荷遮断スイッチを設けて使用者が任意に負荷を遮断できるようにした構成の回路模式図。
【図１１】本実施形態の変形例に係るリモートコントローラについて、内蔵の二次電池のみで駆動し、外部充電器を接続するための外部充電用端子を設け、内蔵の二次電池を充電器で充電可能とし、更に過電圧，過電流を検出した場合、負荷を遮断できる出力開閉器を備えた構成の回路模式図。
【図１２】本実施形態の変形例に係るリモートコントローラについて、内蔵の二次電池のみで駆動し、外部充電器を接続するための外部充電用端子を設け、内蔵の二次電池を充電可能とし、更に過電圧，過電流を検出した場合、負荷を遮断できる出力開閉器を備え、また、負荷遮断スイッチを設け、使用者が任意に負荷を遮断できるようにした構成の回路模式図。
【図１３】本実施形態の変形例に係るリモートコントローラについて、商用電源からリモートコントローラ内蔵の二次電池を充電可能な内蔵充電器４６９を備え、また負荷遮断スイッチを設けて使用者が任意に負荷を遮断できるようにした構成の回路模式図。
【図１４】本実施形態の変形例に係るリモートコントローラについて、内蔵の二次電池のみで駆動し、内蔵の充電器によって内蔵の二次電池を充電可能とし、更に過電圧，過電流を検出した場合、負荷を遮断できる出力開閉器を備え、また、負荷遮断スイッチを設け、使用者が任意に負荷を遮断できるようにした構成の回路模式図。
【発明を実施するための形態】
【００２５】
以下、本発明を実施するための形態（以下「実施形態」という）について、適宜図面を
参照しながら詳細に説明する。
【００２６】
最初に、本実施形態に係るリモートコントローラ４により操作される空気調和機１の全体構成について図１を用いて説明する。図１は、本実施形態に係るリモートコントローラを含む空気調和機の構成図である。室内を空気調和する空気調和機１は、室内に設置される室内機２と、室外に設置される室外機３と、空気調和機１を遠隔操作するリモートコントローラ４と、室内機２と室外機３とを繋ぐ接続配管８とを備える。
【００２７】
室内機２は、筐体ベース２１の中央部に室内熱交換器（図示せず）と、室内熱交換器の下流側に室内熱交換器の幅と略等しい長さの横流ファン方式の室内送風機（図示せず）と、室内熱交換器で結露した結露水を受ける露受皿（図示せず）とを備える。これらを化粧枠２３で覆い、化粧枠２３の前面に前面パネル２５を取り付けている。化粧枠２３には、室内空気を吸い込む空気吸込み口２７と、温湿度が調整された空気を吹出す空気吹出し口２９とが上下に設けられている。
【００２８】
このように室内機２は、空気吸込み口２７から吸い込まれた室内空気を室内熱交換器により温湿度を調整し、室内送風機からの吹出し気流を室内送風機の長さに略等しい幅を持つ吹出し風路（図示せず）に流し、吹出し風路途中に配した左右風向板（図示せず）で気流の左右方向を偏向し、更に、空気吹出し口２９に配した上下風向板（図示せず）で気流の上下方向を偏向して室内に吹出すことができるようになっている。
【００２９】
接続配管８は、室内機２の露受皿の結露水を室内から室外へ排水するドレンホース（図示せず）と、室内機２の室内熱交換器と後述する室外機３の室外熱交換器との間で冷媒を循環させるための２本の冷媒配管（図示せず）と、室内機２から室外機３へ電源を供給する３芯ケーブル（図示せず）とを備え、これらを断熱材で覆い構成される。
【００３０】
室外機３は、内部に室外熱交換器（図示せず）を備える。室外機３の室外熱交換器と室内機２の室内熱交換器は、接続配管８の２本の冷媒配管により接続され、冷媒を循環させることにより熱ポンプとして機能する。これにより、空気調和機１は室内の空気を冷房または暖房することが可能となる。
【００３１】
加えて、室内機２の化粧枠２３には、室内機送受信部２３１と、室内機表示装置２３２とを備える。室内機送受信部２３１はリモートコントローラ４から送信された電波信号または赤外線信号を受信可能であり、空気調和機１の操作をリモートコントローラ４から送信された電波信号または赤外線信号によって行うことができる構成となっている。また、室内機送受信部２３１はリモートコントローラ４へ電波信号または赤外線信号を送信可能である。室内機表示装置２３２は、空気調和機１の動作状態を表示する。
【００３２】
次に、本実施形態に係るリモートコントローラ４の構成について、赤外線通信方式のリモートコントローラを例に、図２から図７を用いて説明する。図２は、本実施形態に係るリモートコントローラの外観正面図である。リモートコントローラ４は、空気調和機１（図１参照）に操作指示を行うための操作ボタン４０４と、操作内容を表示する液晶表示画面（以下、ＬＣＤ（Liquid Crystal Display）と称す）４０３と、リモートコントローラ４に電源を供給する太陽電池４０２と、赤外線信号により室内機２（図１参照）と通信するリモートコントローラ送受信部４０１とを備える。
【００３３】
また、リモートコントローラ送受信部４０１には、室内の空気がリモートコントローラ送受信部４０１の内部へ通風可能なサーミスタ通風路４１０が形成される。
【００３４】
図３は、本実施形態に係るリモートコントローラの上部図である。なお、リモートコントローラ送受信部４０１のサーミスタ通風路４１０が形成された赤外線を透過するカバーを取り外した状態である。
【００３５】
リモートコントローラ送受信部４０１は、室内機２の室内機送受信部２３１（図１参照）へ向けて赤外線信号を送信する送光ダイオードで構成される信号送信器４２４と、室内機２の室内機送受信部２３１からの赤外線信号を受信する信号レシーバ４２５と、サーミスタ通風路４１０を介してリモートコントローラ４の周辺の空気温度を検出するリモートコントローラ用室温サーミスタ４２６とを備える。
【００３６】
図４は、本実施形態に係るリモートコントローラの外観背面図であり、図５は本実施形態に係るリモートコントローラについて、電池ソケットカバーを外した状態の外観背面図である。図４に示すように、リモートコントローラ４の背面には、着脱可能な一次電池ソケットカバー４１１が装着されている。
【００３７】
また、図５に示すように、一次電池ソケットカバー４１１を取り外すと、リモートコントローラ４のバックアップ用一次電池（図示せず）を挿入するための一次電池用ソケット４２２と、電池と電気的に接続する電池接続端子４２３とが備えられている。またリモートコントローラ４の負荷を完全に遮断するためのスイッチ４２１を設けても良い。
【００３８】
図６は、本実施形態に係るリモートコントローラの外観右側面図であり、図７は、本実施形態に係るリモートコントローラの側面断面模式図である。図６に示すように、リモートコントローラ４は、背面中央部に指掛け部４２７が形成される。
【００３９】
図７に示すように、リモートコントローラ４に電源を供給するリチウム二次電池４３１は、リモートコントローラ４の内部に装備され外部から容易に取り出すことができない構造となっている。
【００４０】
なお、ここに示すリモートコントローラは一例であり、通信方式として上記に示した赤外線通信方式ではなく、特定小電力電波などの電波通信を利用して信号の通信を行う方式のリモートコントローラにおいても本発明は有効である。電波通信を利用するリモートコントローラにおいては、信号送信器４２４を信号送信用アンテナ（図示せず）、信号レシーバ４２５を受信用アンテナ（図示せず）とする。
【００４１】
次に、本実施形態に係るリモートコントローラ４の回路構成について、赤外線通信を用いるものを一例に、図８および図９を用いて説明する。図８は、比較例に係るバックアップ電源を備えない太陽電池を電源として用いたリモートコントローラの回路模式図である。
【００４２】
図８に示すリモートコントローラの回路は、太陽電池とその発電電力を充電して電源として使用するためのリチウム二次電池４３１と、マイクロコンピュータ（以下、マイコンと称する）４４０と、通信回路４４１と、ＬＣＤ４０３からなるリモートコントローラ負荷４００と、操作ボタン４０４とを備える。
【００４３】
太陽電池４０２での発電電力はリチウム二次電池４３１に充電される。リチウム二次電池４３１からマイコン４４０に電力を供給すると共に、マイコン４４０を介してＬＣＤ４０３および通信回路４４１へ電力を供給する。
【００４４】
マイコン４４０は、操作ボタン４０４で操作された空気調和機１の動作指示を電気信号として受け取り、空気調和機１の室内機２へ送信する信号を作成し、通信回路４４１の信号送信器４２４（図３参照）から赤外線信号、または電波信号を送信する。また、マイコン４４０はＬＣＤ４０３に操作された指示が表示される。
【００４５】
また、マイコン４４０は、リモートコントローラ用室温サーミスタ４２６（図３参照）にて検出したリモートコントローラ４の周辺の空気温度を空気調和機１の室内機２へ送信する信号を作成し、通信回路４４１の信号送信器４２４から信号を送信する構成としてもよい。
【００４６】
なお、本実施例ではリチウム二次電池を例として取り上げているが、その他充電可能な二次電池をコストや目標設計寿命に合わせて選定可能なことは言うまでも無い。
【００４７】
ここで、比較例に係るリモートコントローラ回路にバックアップ電池を実装する際の問題点について、再度明記する。
【００４８】
バックアップ用一次電池から逆流防止ダイオードを介して負荷へ接続することで、太陽電池および二次電池の出力電圧が低下した場合にバックアップ電池から負荷へ電力を供給できるようにする方式の場合、バックアップ用一次電池の出力電圧が低下した場合、二次電池とバックアップ用一次電池に電位差が生じることは容易に想像できる。この電位差によって二次電池からバックアップ用一次電池への充電電流が流れることにより、バックアップ用一次電池の安全性の低下や液漏れを誘発する。
【００４９】
他に、太陽電池および二次電池の出力電圧が低下した場合に、その電圧を検出してバックアップ電源に接続された開閉器をオンして負荷へ電力を供給する方式も考えられるが、この場合、二次電池の出力電圧検出回路が必要となる。更にその出力をマイコンで処理して開閉器を制御する場合、電圧検出回路およびその出力のマイコン処理，開閉器の制御によって電力を消費してしまうため、リモートコントローラでの消費電力が大きくなってしまう。
【００５０】
図９は、本実施形態に係るリモートコントローラの回路模式図である。本実施形態に係るリモートコントローラ４の回路は、比較例に係るリモートコントローラ４の回路（図８参照）に加えて、バックアップ用一次電池４３２と、その開閉器４５３を備えたものである。
【００５１】
まず、太陽電池４０２を用いて充電を行うリチウム二次電池４３１を電源とする、電源供給回路について説明する。太陽電池４０２の出力電圧は、照度によって変化する。リモートコントローラ４は、通常、室内で使用されることを前提として太陽電池４０２を設計するため、太陽光のような強い光に当てると太陽電池４０２の出力電圧が上昇し、マイコン４４０や回路素子を高電圧により壊すおそれがある。そのため、太陽電池４０２を供給源とする電源供給回路は、太陽電池４０２の出力端子にレギュレータ４５６を配置し、リチウム二次電池４３１およびマイコン４４０をはじめとするリモートコントローラ負荷４００に供給される電圧の上限値を制限し安全性を確保する回路構成となっている。なお、レギュレータ４５６の制限電圧は、マイコン４４０等を壊さない電圧値に設計される。
【００５２】
バックアップ用一次電池の開閉器の動作について図９を用いて説明する。開閉器４５３は、バックアップ用一次電池４３２の出力をリチウム二次電池４３１の出力電圧に応じて開閉するように構成される。すなわち、開閉器４５３は例えばＭＯＳ−ＦＥＴを用いた回路によって構成され、バックアップ用一次電池４３２とリモートコントローラ負荷４００をそれぞれドレイン，ソースに接続し、ゲートは逆流防止ダイオード４５１を介してリチウム二次電池４３１に接続される構成である。
【００５３】
リチウム二次電池４３１の出力電圧が高い場合には開閉器４５３によってバックアップ用一次電池４３２の出力を遮断しておき、リチウム二次電池４３１の出力電圧が低下し、その出力電圧と開閉器４５３のゲート間の電圧が閾値を越えた場合に開閉器４５３が接続することで、バックアップ用一次電池４３２の出力を負荷へ供給する。開閉器４５３の閾値は、リチウム二次電池４３１の出力と開閉器４５３のゲート間に接続された、逆流防止ダイオード４５１のＶｆによって定まる。そのため、この逆流防止ダイオード４５１の個数を変更することによって任意の閾値に設定することが可能である。このように、開閉器４５３の開閉動作にはリチウム二次電池４３１とバックアップ用一次電池４３２の電位差を利用することから、各電池の出力検出回路やその比較回路などを必要としないため、部品点数も少なくなる。
【００５４】
ここでＭＯＳ−ＦＥＴはゲート電圧によって開閉可能であることから、開閉器４５３は電圧に閾値を持つため、ＭＯＳ−ＦＥＴによって構成することが有効である。これは、ＭＯＳ−ＦＥＴがゲート電圧によって動作するためゲート電流を小さくすることが可能で、一次電池の無駄な放電を抑えることができるからである。例えばＰチャネルのバイポーラトランジスタによって開閉器４５３を構成することも可能であるものの、バイポーラトランジスタのｈFE特性により、バックアップ用一次電池４３２からリモートコントローラ負荷４００へ十分な出力電流を供給するためには、それに応じたベース電流を流す必要がある。電源のバックアップ動作時、バックアップ用一次電池４３２はこのベース電流によって常時放電することとなるため、一次電池の寿命は短くなってしまう。つまり、開閉器４５３をＭＯＳ−ＦＥＴによって構成することで、不要なバックアップ用一次電池４３２の放電を抑え、電池の長寿命化を実現することができる。
【００５５】
開閉器４５３をＭＯＳ−ＦＥＴで構成する場合、実際にはＭＯＳ−ＦＥＴのゲートとソース間に抵抗器を接続する必要があるため、これについて明記する。ゲートとソース間に抵抗器が接続されることで、ここに電流が流れることとなる。しかしこの電流はバイポーラトランジスタを使用したものなど、他の開閉器に比べて小さい。さらに逆流防止ダイオード４５１が接続されることにより、逆流防止ダイオード４５１の両端電圧がそのＶｆを上回るまでこの電流は一切流れないだけでなく、同時にＭＯＳ−ＦＥＴのゲートとソース間の抵抗器を介してリチウム二次電池４３１からバックアップ用一次電池へ流れる充電電流は、逆流防止ダイオード４５１とＭＯＳ−ＦＥＴのゲートとソース間の抵抗器によって抑えられる。逆流防止ダイオードを複数個直列に接続すれば、さらにこの効果は高まる。このように逆流防止ダイオード４５１の二つの効果により、バックアップ用一次電池４３２の電力の不要な放電を防ぐことと、充電電流からの保護を両立することができる。
【００５６】
一般に、電池の容量の大きい二次電池から十分な出力電圧を得るためには、その容量に応じた充電電流が必要である。本リモートコントローラ４においては、リモートコントローラ本体に室内発電用の太陽電池４０２を搭載しているため、その発電電流は小さい。また、リチウム二次電池４３１は大電流での充放電をくり返した場合、電池の寿命が著しく低下することが知られている。そのため電池の長寿命化を実現するためには、極力小電流によって充放電を行い、かつ充放電の回数を少なくする構成とする必要がある。そのため、リチウム二次電池４３１からリモートコントローラ負荷４００の間に、バイパス用ダイオード４５４と共に電流調整用抵抗器４５５を接続する。ここで、バイパス用ダイオード４５４および電流調整用抵抗器４５５は、バックアップ用一次電池４３２の出力時にバックアップ用一次電池の電力がＭＯＳ−ＦＥＴのゲートに回りこむことを防止する役割も担う。
【００５７】
リモートコントローラ負荷４００には、太陽電池４０２の電力および、リチウム二次電池４３１の出力電圧、またはバックアップ用一次電池４３２の出力を蓄電することが可能な電気二重層コンデンサからなる電流吐き出し能力調整用コンデンサ４５７が接続される。
【００５８】
電源から供給される電力を、電流吐き出し能力調整用コンデンサ４５７へ一時充電してからリモートコントローラ負荷４００へ電力を供給するという構成とすることにより、電源出力の急激な変動にも対応することができる。また、リモートコントローラ負荷での電力消費が小さい場合、リチウム二次電池４３１からの出力電流を調整し、小電流によって電流吐き出し能力調整用コンデンサ４５７を充電することによって、リモートコントローラ４の使用時の負荷電流増大に備えるという構成である。これにより、リチウム二次電池４３１は小電流による放電を行うことから、リチウム二次電池４３１の長寿命化を実現することが可能である。
【００５９】
太陽電池４０２での発電電力は、カーテンの開閉や室内灯の点灯・消灯により室内の照度が変化した場合や、リモートコントローラ４を傾けた場合などに生じる照度の変化により変動する。太陽電池４０２での発電電力はリチウム二次電池４３１に充電され、さらにリチウム二次電池４３１の充電が十分である場合は、その発電電力をリモートコントローラ負荷４００へ供給する構成となっている。そのため太陽電池４０２での発電電力を、電流吐き出し能力調整用コンデンサ４５７に一時充電してからリモートコントローラ負荷４００へ電力を供給する構成とすることで、太陽電池４０２の出力電圧の変動に対しても電源供給の安定性が向上する。そのため、リモートコントローラ負荷４００へ供給する電流が少ない状態においては、太陽電池４０２の出力電圧が小さい場合であっても、ある一定時間、電流吐き出し能力調整用コンデンサ４５７に蓄えられた電力でリモートコントローラ負荷４００へ電源供給することができる。
【００６０】
通信回路４４１は、信号送信時において瞬間的に大電流を必要とする負荷である。
【００６１】
ところで、太陽電池４０２はリモートコントローラ４の表面に設置されるが（図２参照）、リモートコントローラ４はユーザの利便性を考慮すれば小型であることが望ましく、また、リモートコントローラ４の正面には、操作ボタン４０４，ＬＣＤ４０３が配置される。このため、太陽電池４０２を配置可能な面積は有限であり、太陽電池４０２からの充電電流量には限界がある。
【００６２】
なおリモートコントローラ４は、操作ボタン４０４が操作され赤外線信号または電波信号を送信するために大電流を必要とする送信状態と、大電流を必要としないマイコン４４０やＬＣＤ４０３のみを駆動させている待機状態とに分別される。ここで、リモートコントローラ４は、頻繁に操作されるものではなく、送信状態の期間と比して待機状態の期間の方が長い。
【００６３】
そこで、太陽電池４０２による発電電力でリチウム二次電池４３１を充電しつつ、待機状態の電力をまかなえるようリモートコントローラ４を設計するとよい。これにより室内の照度が発電に十分である場合には、リモートコントローラ待機状態において、太陽電池４０２の発電によってリチウム二次電池４３１の充電を行うと同時に、待機負荷へ電力を供給することでリチウム二次電池４３１の消費電力を抑え、リモートコントローラ４の長寿命化を達成することができる。
【００６４】
更に、ＬＣＤ４０３を操作ボタン４０４の操作から所定時間後消灯する構成とすれば、更なる省電力化と長寿命化を達成することができる。
【００６５】
リモートコントローラ４の各状態の電源供給についてそれぞれ説明する。まず、リモートコントローラ４が待機状態であり、かつリチウム二次電池４３１の出力電圧が十分である場合について説明する。この場合、太陽電池４０２での発電電力はリチウム二次電池４３１に充電されると共に、バイパス用ダイオード４５４および電流調整用抵抗器４５５を通して、電流吐き出し能力調整用コンデンサ４５７に一時充電され、そこからリモートコントローラの待機負荷へ電力を供給する。このとき、リチウム二次電池４３１の両端電圧が高くなっているため開閉器４５３はオフし、バックアップ用一次電池４３２の出力は完全に遮断される。これにより太陽電池４０２での発電が十分である場合、太陽電池４０２の発電電力でリモートコントローラ４の待機負荷をまかない、リチウム二次電池４３１およびバックアップ用一次電池４３２による放電を抑えることが可能で、電池の長寿命化が可能である。
【００６６】
次に、リモートコントローラ４が待機状態のまま、リモートコントローラ４の太陽電池４０２への光の照射が小さく、待機負荷によってリチウム二次電池４３１の出力電圧が低下していく場合について説明する。
【００６７】
ＭＯＳ−ＦＥＴを用いた開閉器４５３のゲート端子は逆流防止ダイオード４５１を介して二次電池の出力に接続されているため、開閉器４５３はリチウム二次電池４３１の出力電圧が低下した際にオンする。開閉器４５３がオンするときのリチウム二次電池４３１の出力電圧は、開閉器４５３のゲートに設けられた逆流防止ダイオード４５１のＶｆによって閾値が定められる。このため、開閉器４５３の開閉動作を行うため電圧検出回路や、それに伴うマイコン４４０での処理が必要ないことが言える。開閉器４５３がオンすることによりバックアップ用一次電池４３２の出力は逆流防止ダイオード４６７および電流調整用抵抗器４６８を介して、電流吐き出し能力調整用コンデンサ４５７に一時充電され、リモートコントローラ負荷４００へ電力を供給する。
【００６８】
次に、リチウム二次電池４３１の出力電圧が上昇していく場合について説明する。使用者がリモートコントローラ４を操作する環境下、つまりは一般的な生活環境下においては、少なからず太陽光や照明光といった光源が存在するため、照度が無い、つまり太陽電池での発電が皆無であるということは極めて稀な状況である。そのため一般的な生活環境化においては太陽電池４０２では少なからず発電が行われることとなる。そしてこの発電電力は、リチウム二次電池４３１へ充電されることとなる。つまり待機負荷によるリモートコントローラ４の負荷電力をバックアップ用一次電池４３２でまかない、同時に太陽電池４０２の発電電力によってリチウム二次電池４３１を充電する。
【００６９】
その後太陽電池４０２からの充電によってリチウム二次電池４３１の出力電圧が上昇していくと、開閉器４５３のゲートに接続された逆流防止ダイオード４５１のＶｆによって定められた閾値を超えたとき、開閉器はオフしてバックアップ用一次電池４３２の出力を遮断する。同時にリモートコントローラ負荷４００へリチウム二次電池４３１および太陽電池４０２から電力が供給される。
【００７０】
次に、リモートコントローラ４が送信状態であり、信号送信中にリチウム二次電池４３１の出力電圧が低下してしまった場合について説明する。この場合前項で示した通り、リチウム二次電池４３１の出力電圧低下に伴って開閉器４５３がオンする。この際、電源が切り替わることから、開閉器４５３のスイッチングノイズの発生や、リモートコントローラ負荷４００へ供給される電圧値が変わってしまう可能性があるものの、電流調整用抵抗器４５５および、リモートコントローラ負荷４００の両端にも容量の大きい電流吐き出し能力調整用コンデンサ４５７を接続することで、ノイズや突入電流などによる影響を抑えることができるため、マイコン４４０およびＬＣＤ４０３の挙動が不安定になることもない。これにより、リモートコントローラ４は安定した使用が可能となる。
【００７１】
このように、太陽電池４０２およびリチウム二次電池４３１を供給源とするとき、リチウム二次電池４３１の出力電圧が低下し特定の閾値を越えた際に開閉器４５３が作動してバックアップ用一次電池４３２からリモートコントローラ負荷４００へ電力を供給し、リチウム二次電池４３１は太陽電池４０２の発電電力によって充電される。このときそれぞれの電圧を監視するための電圧検出回路を備える必要がないため、回路を簡素化できる。また電圧検出回路は、その電源が負荷に電力を供給しているかどうかに関わらず電力を消費する。そのためリチウム二次電池４３１およびバックアップ用一次電池４３２の電圧検出経路を備えない本実施形態に係るリモートコントローラ４は、電圧検出回路を用いる回路と比較してリチウム二次電池４３１およびバックアップ用一次電池４３２の長寿命化を実現できる。
【００７２】
さらに、リチウム二次電池４３１の出力電圧が十分である場合は、バックアップ用一次電池４３２の出力を開閉器４５３によって完全に遮断することから、バックアップ用一次電池４３２へ充電してしまう懸念がないため、安全性も確保されている。
【００７３】
次に省エネ性能の優れた自動開閉器を実現する機能について図１０を用いて更に詳しく説明する。
【００７４】
開閉器４５３をＰｃｈ ＭＯＳ−ＦＥＴを使用したと仮定する。ＭＯＳ−ＦＥＴのＯＮ閾値Ｖｔｈを１Ｖと仮定する。
・リチウム二次電池４３１の端子電圧をＶ４３１
・バックアップ用一次電池４３２の端子電圧をＶ４３２
・開閉器４５３のゲート抵抗をＲ１、ゲートソース間抵抗をＲ２
・逆流防止ダイオード４５１の順方向電圧をＶｆ
・逆流防止ダイオード４５１の直列接続個数をｎ
・バックアップ用一次電池４３２に流入する充電電流をＩ1
とすると、開閉器４５３のＯＮする条件は
（（Ｖ４３２−Ｖ４３１）−（Ｖｆ×ｎ））×Ｒ２／（Ｒ１＋Ｒ２）≧１
となる。ここで、開閉器４５３のＯＮの条件、すなわちリチウム二次電池４３１の端子電圧をＶ４３１が、何Ｖまで低下した時に、バックアップ用一次電池４３２の電力の供給を開始するかを決める閾値は、逆流防止ダイオード４５１の直列接続個数をｎの選定により容易に変更することができる。逆流防止ダイオード４５１の直列接続個数をｎの適切な選定で、Ｖ４３１とＶ４３２の関係において、Ｖ４３１小なりＶ４３２においても、Ｖ４３１がマイコン４４０の動作可能電圧以内であれば開閉器４５３をオフ継続し、バックアップ用一次電池４３２からの供給は行わないように設定できるので、バックアップ用一次電池４３２の不要な電力の消費を防止することができる。また、太陽電池４０２の発電量が十分な場合でＶ４３２と逆流防止ダイオード４５１のＶｆの和が、Ｖ４３１を上回っていれば開閉器４５３のゲート電流は流れないので、Ｖ４３１の電圧値検出のための消費電力が発生することがない。
【００７５】
更に逆流防止ダイオード４５１は、Ｖ４３１大なりＶ４３２となった場合、開閉器４５３を構成するＭＯＳ−ＦＥＴのゲートを介して、バックアップ用一次電池４３２に流入する充電電流Ｉ1を有効に防御することができる。ここで逆流防止ダイオード４５１は低漏れシリコンダイオードを用いるのが良いが、シリコンダイオードも半導体である以上逆方向漏れ電流をゼロにすることは不可能である。太陽電池４０２の出力電圧は、照射される光の照度に比例して増大するので、照度が高く太陽電池４０２の端子電圧が極めて高い場合、リチウム二次電池４３１の端子電圧Ｖ４３１がバックアップ用一次電池４３２の端子電圧Ｖ４３２を大幅に上回り、逆流防止ダイオード４５１の漏れ電流が増大し、バックアップ用一次電池４３２への充電電流が規定値を超える可能性がある。そこでレギュレータ４５６の出力電圧値を適切に選定し、リチウム二次電池４３１の最大到達電圧に制限をかけ、バックアップ用一次電池４３２に流入する充電電流に制限をかける。
【００７６】
例えばＲ１を１ＭΩ、Ｒ２を５ＭΩとする。また、逆流防止ダイオードの逆方向漏れ電流に対する等価抵抗は５０ＭΩ以上は十分に期待できるので、５０ＭΩとした場合、レギュレータ４５６の出力電圧をＶ４３２＋３（Ｖ）とすれば、
Ｉ1＝３（Ｖ）／（１（ＭΩ）＋５（ＭΩ）＋５０（ＭΩ））≒５０ｎＡ
と極小とすることができる。
【００７７】
漏れ電流を更に小さくするにはＶ４３１とＶ４３２との差の絶対値を小さくすればよく、バックアップ用一次電池４３２の許容電流仕様において選定すればよい。このように開閉器４５３のゲートに逆流防止ダイオード４５１を接続し、レギュレータ４５６でリチウム二次電池４３１の最大到達電圧に制限を与えることによって、リチウム二次電池４３１の電圧検出のための電力を消費せずに、バックアップ用一次電池４３２への充電電流の流入も効果的に防止でき、安全で電圧検出のための消費電力の発生しない省エネ性能の優れた自動開閉器を実現することができる。
【００７８】
このような構成により、リチウム二次電池４３１および太陽電池４０２，バックアップ用一次電池４３２の電圧検出回路およびそれに伴うマイコン処理を行うことなく電源のバックアップを行うことができることから、無駄な待機電力を省き電池の長寿命化を図ることができる。またバックアップ用一次電池４３２を脱着可能、すなわち交換可能としたことで、リモートコントローラ４の長期使用が可能となる。
【００７９】
なお、開閉器４５３の開閉動作を行う際スイッチングノイズが発生することが考えられるが、電流吐き出し能力調整用コンデンサ４５７によりリモートコントローラ負荷４００へ電源供給されるため、リモートコントローラ４の安定した動作が可能となる。
【００８０】
次に、本実施形態の変形例について説明する。図１０は、本実施形態の変形例に係るリモートコントローラ４について、リモートコントローラ負荷４００への負荷遮断スイッチ４２１が接続され、加えてリチウム二次電池４３１を外部電源から充電するための外部充電用端子４５２が接続された状態を示す回路模式図である。
【００８１】
負荷遮断スイッチ４２１は、電流吐き出し能力調整用コンデンサ４５７とリモートコントローラ負荷４００の間に設けられたスイッチであり、リモートコントローラを長時間使用しない場合、使用者が任意に負荷を遮断することができ、二次電池の無駄な電力消費を無くし、更なる二次電池の長寿命化を図ることができるものである。また、外部充電用端子４５２は、リチウム二次電池４３１の両端に接続されており、そこに外部電源を接続することによってリチウム二次電池４３１の充電が可能である。
【００８２】
例えば、工場からの出荷時においては、リチウム二次電池４３１は満充電にしておく必要があるため、外部電源から外部充電用端子４５２を通してリチウム二次電池４３１を充電し負荷遮断用スイッチを遮断してリチウム二次電池４３１の放電を防止することができる。
【００８３】
また、図１１，図１２の本実施形態の変形例では、リモートコントローラ４について、通信回路として電波通信回路を使用し、リモートコントローラ４に付属するＡＣ／ＤＣ充電器を用いて外部充電用コネクタを介してリチウム二次電池を充電できるようにすることでバックアップ用一次電池４３２を実装せず、更に二次電池の出力開閉器４５３の開閉ゲートにマイコン４４０の出力を接続することで負荷の開閉を行い、外部からの過電圧対策としてツェナーダイオード４６０を接続し、外部充電器４５８からの入力に過電流保護用の電流ヒューズ４６１を接続し、リチウム二次電池４３１が発熱した場合の保護用の温度ヒューズ４６２をリチウム二次電池４３１の入出力端子に接続し、更にリチウム二次電池４３１の負極側に、負荷電流を検出するための電流検出抵抗器４６４を接続し、過電流検出回路４５９で閾値との比較を行い、負荷電流検出値が閾値を上回るとマイコンに過電流信号を入力する構成とした。また、本実施形態の変形例では電流吐き出し能力調整用コンデンサ４５７の両端電圧を検出する電圧検出ＩＣ４６３を備え、リモートコントローラ負荷４００への印加電圧を監視する構成とした。過電圧と過電流の片方、または両方を検出した場合、マイコンは出力開閉器４６５を構成するＭＯＳ−ＦＥＴのゲート信号を即座にオフ側に推移させ、出力開閉器４６５を遮断し、リモートコントローラ負荷４００の過電圧及び過電流によるリチウム二次電池４３１の発熱を防止し安全性を確保することができる。
【００８４】
図１１は負荷遮断スイッチ４２１を持たない本実施形態の変形例であり。図１２は負荷遮断スイッチ４２１を備えた場合の本実施形態の変形例である。図１２に示す本実施形態の変形例では、使用者が任意に負荷電流を遮断する負荷遮断スイッチ４２１を備える。長時間に渡ってリモートコントローラ４を使用しない場合、使用者が負荷を強制的に遮断できるので、不要な二次電池の電力消費を無くすことができる。また、工場からの出荷時にこの負荷遮断スイッチ４２１によって負荷を遮断しておくことで、輸送中や倉庫などで保管されている際にリチウム二次電池４３１の放電を防ぐことも可能である。
【００８５】
また、図１１，図１２に示す本実施形態の変形例では、通信回路４４１として電力消費が非常に小さい特定省電力電波などを用いた電波通信回路を使用することにより、負荷による電力消費をリチウム二次電池４３１の充電電力だけで十分行えるようにしている。更にリチウム二次電池４３１の充電を太陽電池４０２だけでなく、リモートコントローラ４にＡＣ／ＤＣ充電器等の外部充電器４５８を接続可能なように外部充電用端子４５２を備えてリチウム二次電池４３１を充電できるようにしているので、これによりバックアップ用一次電池４３２は不要となるため、実装されていない。
【００８６】
また、外部充電用端子４５２からの過電圧や過電流によるリチウム二次電池４３１、およびマイコン４４０，通信回路４４１などのリモートコントローラ負荷４００の誤作動を防ぐため、外部充電用端子４５２とリチウム二次電池４３１に電流ヒューズ４６１および、リチウム二次電池４３１の両端にツェナーダイオード４６０を挿入し、安全性を確保している。
【００８７】
更にリチウム二次電池４３１に並べて温度ヒューズ４６２を挿入することで、リモートコントローラ負荷４００の異常や外部充電器４５８から過電流による充電が行われた場合の、リチウム二次電池４３１の発熱によって温度ヒューズ４６２が動作し、リチウム二次電池４３１の入出力端子をオープンする構成とすることで、充電電流によるリチウム二次電池４３１の発熱を防ぐ構成としている。
【００８８】
なお言うまでも無く、ここでは外部充電器４５８として商用電源を利用したＡＣ／ＤＣ充電器を例に示したものの、実際にはＰＣなどから電源をとるＵＳＢ充電器を始め、太陽電池を用いた充電器、手回し式発電機を用いた充電器など、各種充電器を使用した場合でも同様の効果を得ることができる。また、その形態は取り外し式のものだけに留まらず、リモートコントローラ４に内蔵する形式のものであっても良い。
【００８９】
なお、外部充電器４５８は、あくまでリチウム二次電池４３１が放電してしまった際の充電補助を行うことを想定しているものであり、二次電池の性能次第では必ずしもリモートコントローラ４に付帯させる必要はない。
【００９０】
以上説明したように、本発明のリモートコントローラは、太陽電池と、太陽電池が発電した電力を蓄電し、負荷に電力を供給する二次電池と、負荷に電力を供給する一次電池と、一次電池に接続され、一次電池と二次電池との電位差で開閉する開閉器と、を備える。
【００９１】
さらに、開閉器を電界効果トランジスタで構成し、電界効果トランジスタのゲートと二次電池の正極側とを逆流防止ダイオードを一個または複数個介して接続する。二次電池の正極側の電位が任意の閾値を下回る場合にソースとドレイン間が導通し、一次電池から電力が供給される。
【００９２】
さらに、二次電池および一次電池と物理的並列に接続したコンデンサを設けたことを特徴とする。
【００９３】
さらに、二次電池とコンデンサとの間で、二次電池の正極側に抵抗器を備えることを特徴とする。
【００９４】
さらに、太陽電池と二次電池との間で、太陽電池の正極側にレギュレータを備えることを特徴とする。
【００９５】
さらに、二次電池に外部の充電装置を接続する充電端子を備えることを特徴とする。
【００９６】
さらに、商用電源からの電力を直流に変換し、二次電池に電力を供給する充電装置を内部に備えることを特徴とする。
【００９７】
さらに、赤外線発光素子と赤外線受光素子を有す送受信部を備えることを特徴とする。
【００９８】
さらに、送受信部は電波通信回路であることを特徴とする。
【００９９】
さらに、二次電池と負荷との間に出力開閉器を備えることを特徴とする。
【０１００】
さらに、出力開閉器は任意の値以上の電圧又は電流を検出した場合に二次電池と負荷とを遮断することを特徴とする。
【０１０１】
さらに、任意に負荷を遮断できる負荷遮断スイッチを備えることを特徴とする。
【０１０２】
さらに、一次電池はリチウム一次電池であり、二次電池はリチウム二次電池であることを特徴とする。
【０１０３】
また、本発明のリモートコントローラは、太陽電池と、太陽電池が発電した電力を蓄電し、負荷に電力を供給する二次電池と、負荷に電力を供給する一次電池を装着する電池ソケットと、電池ソケットを介して一次電池に接続され、一次電池と二次電池との電位差で開閉する開閉器と、を備えることを特徴とするリモートコントローラ。
【０１０４】
また、本発明のリモートコントローラは、負荷に電力を供給する第１の電池と、第１の電池と物理的並列に接続し、負荷に電力を供給する第２の電池と、第１の電池と第２の電池との電位差で開閉する開閉器と、を備えることを特徴とする。
【０１０５】
また、本発明のリモートコントローラは、負荷に電力を供給する第１の電池と、第１の電池と物理的並列に接続し、負荷に電力を供給する第２の電池と、第１の電池の正極側に接続した第１の電圧調節器と、ソースとドレインを第２の電池の正極側に接続し、ゲートを第１の電池と第１の電圧調節器との間に接続した電界効果トランジスタと、を備えることを特徴とする。
【０１０６】
さらに、電界効果トランジスタのゲートを第２の電圧調節器を介して第１の電池と第１の電圧調整器との間に接続することを特徴とする。
【０１０７】
また、本発明の空気調和機は、リモートコントローラからの信号を受信する室内機受信部と、室内機受信部が受信した信号に基づいて回転数を制御する室内送風機と、室内空気を吸い込む空気吸込み口と、空気吸込み口から吸い込まれた空気と熱交換する室内熱交換器と、室内熱交換器で熱交換した空気を室内に吹出す空気吹出し口と、を備えることを特徴とする。
【０１０８】
ここで、第１の電池について、実施例ではリチウム二次電池４３１を挙げているが、他の電池を排除するものではない。また、第２の電池について、実施例ではバックアップ用一次電池４３２を挙げているが、他の電池を排除するものではない。また、物理的並列とは、リチウム二次電池４３１とバックアップ用一次電池４３２とが電気的に並列に接続されている回路に加え、構成上並列に接続されているが、開閉器４５３等によりバックアップ用一次電池４３２からの電力が負荷に流れず、リチウム二次電池４３１とバックアップ用一次電池４３２とが電気的には並列に接続されていない回路を含めた意味である。
【０１０９】
また、電界効果トランジスタについて、実施例ではＭＯＳ−ＦＥＴを挙げているが、他の電界効果トランジスタを排除するものではない。また、第１の電圧調節器について、実施例ではバイパス用ダイオード４５４又は電流調整用抵抗器４５５を挙げているが、他の調節器を排除するものではない。
【０１１０】
また、第２の電圧調節器について、実施例では逆流防止ダイオード４５１を挙げているが、他の調節器を排除するものではない。
【０１１１】
また、本実施形態のリモートコントローラ４について、空気調和機１に導入したものを示したが、本発明はこれに限られるものではなく、例えばＡＶ（Audio Visual）機器等のリモートコントローラに用いてもよい。また、リモートコントローラの通信に、赤外線通信ではなく特定小電力電波などを用いた電波通信を使用するリモートコントローラに用いてもよい。更にバックアップ用一次電池４３２としては、リチウム一次電池だけでなく、汎用品の乾電池を用いても同様の効果を得ることができることは言うまでもなく、適宜選択が可能である。
【符号の説明】
【０１１２】
１  空気調和機
２  室内機
３  室外機
４  リモートコントローラ
８  接続配管
２０  筐体
２１  筐体ベース
２３  化粧枠
２５  前面パネル
２７  空気吸込み口
２９  空気吹出し口
２３１  室内機送受信部
２３２  室内機表示装置
４００  リモートコントローラ負荷
４０１  リモートコントローラ送受信部
４０２  太陽電池
４０３  ＬＣＤ
４０４  操作ボタン
４１０  サーミスタ通風路
４１１  一次電池ソケットカバー
４２１  負荷遮断スイッチ
４２２  一次電池用ソケット
４２３  電池接続端子
４２４  信号送信器
４２５  信号レシーバ
４２６  リモートコントローラ用室温サーミスタ
４２７  指掛け部
４３１  リチウム二次電池
４３２  バックアップ用一次電池
４４０  マイコン
４４１  通信回路
４５１  逆流防止ダイオード
４５２  外部充電用端子
４５３  開閉器
４５４  バイパス用ダイオード
４５５  電流調整用抵抗器
４５６  レギュレータ
４５７  電流吐き出し能力調整用コンデンサ
４５８  外部充電器
４５９  過電流検出回路
４６０  ツェナーダイオード
４６１  電流ヒューズ
４６２  温度ヒューズ
４６３  電圧検出ＩＣ
４６４  電流検出抵抗器
４６５  出力開閉器
４６７  逆流防止ダイオード
４６８  電流調整用抵抗器
４６９  内蔵充電器
【図１】
2012039199.tif 000003
【図２】
2012039199.tif 000004
【図３】
2012039199.tif 000005
【図４】
2012039199.tif 000006
【図５】
2012039199.tif 000007
【図６】
2012039199.tif 000008
【図７】
2012039199.tif 000009
【図８】
2012039199.tif 000010
【図９】
2012039199.tif 000011
【図１０】
2012039199.tif 000012
【図１１】
2012039199.tif 000013
【図１２】
2012039199.tif 000014
【図１３】
2012039199.tif 000015
【図１４】
2012039199.tif 000016